(57)【要約】【課題】理論的な同相内の電流不平衡がない、比較的簡素な三相９線式の同相多条布設ケーブルの布設方法を提供する。【解決手段】Ｕ相ケーブルｕ１、ｕ２、ｕ３、Ｖ相ケーブルｖ１、ｖ２、ｖ３、及びＷ相ケーブルｗ１、ｗ２、ｗ３を含む、三相９線式の同相多条布設ケーブル１の布設方法であって、Ｕ相ケーブルｕ１、ｕ２、ｕ３のインピーダンスの理論値が等しく、Ｖ相ケーブルｖ１、ｖ２、ｖ３のインピーダンスの理論値が等しく、かつＷ相ケーブルｗ１、ｗ２、ｗ３のインピーダンスの理論値が等しくなるように、各ケーブルを配置する、同相多条布設ケーブル１の布設方法を提供する。【選択図】図１
2018023245.tif 000002
【特許請求の範囲】
【請求項１】
Ｕ相電流が流れる３本のＵ相ケーブル、Ｖ相電流が流れる３本のＶ相ケーブル、及びＷ相電流が流れる３本のＷ相ケーブルを含む、三相９線式の同相多条布設ケーブルの布設方法であって、
前記３本のＵ相ケーブルのインピーダンスの理論値が等しく、前記３本のＶ相ケーブルのインピーダンスの理論値が等しく、かつ前記３本のＷ相ケーブルのインピーダンスの理論値が等しくなるように、前記３本のＵ相ケーブル、前記３本のＶ相ケーブル、及び前記３本のＷ相ケーブルを配置する、
同相多条布設ケーブルの布設方法。
【請求項２】
各々が１本の前記Ｕ相ケーブル、１本の前記Ｖ相ケーブル、及び１本の前記Ｗ相ケーブルから構成される第１のユニット、第２のユニット、及び第３のユニットを設定し、
前記同相多条布設ケーブルの径方向の断面において、
第１のユニットが、前記１本のＵ相ケーブル、前記１本のＶ相ケーブル、及び前記１本のＷ相ケーブルの中心を結ぶと正三角形が形成されるようなケーブル配置を有し、
前記第２のユニットが、前記第１のユニットのケーブル配置を反時計回りに１２０°回転させたケーブル配置を有し、
前記第３のユニットが、前記第１のユニットのケーブル配置を反時計回りに２４０°回転させたケーブル配置を有し、
前記３本のＵ相ケーブルの中心を結ぶと正三角形が形成され、
前記３本のＶ相ケーブルの中心を結ぶと正三角形が形成され、
前記３本のＷ相ケーブルの中心を結ぶと正三角形が形成されるように、
前記３本のＵ相ケーブル、前記３本のＶ相ケーブル、及び前記３本のＷ相ケーブルを配置する、
請求項１に記載の同相多条布設ケーブルの布設方法。
【請求項３】
前記３本のＵ相ケーブル、前記３本のＶ相ケーブル、及び前記３本のＷ相ケーブルが、第１層が４本、第２層が中央を除く２本、第３層が２本、第４層が１本の俵積みにより配置された、
請求項２に記載の同相多条布設ケーブルの布設方法。
【請求項４】
前記俵積みの前記第２層の中央にダミーケーブル又は線状のスペーサーが配置された、
請求項３に記載の同相多条布設ケーブルの布設方法。
【請求項５】
前記第１のユニット、前記第２のユニット、及び前記第３のユニットの各々において、前記１本のＵ相ケーブル、前記１本のＶ相ケーブル、及び前記１本のＷ相ケーブルが、第１層が２本、第２層が１本の俵積みにより配置され、
前記第１のユニットと前記第２のユニットの上に、板状のスペーサーを介して前記第３のユニットが配置された、
請求項２に記載の同相多条布設ケーブルの布設方法。
【発明の詳細な説明】
【技術分野】
【０００１】
本発明は、同相多条布設ケーブルの布設方法に関し、特に、三相９線式の同相多条布設ケーブルの布設方法に関する。
【背景技術】
【０００２】
大電流を必要とする設備に電流を供給するためには、１相あたりに複数条のケーブルを用いる同相多条布設ケーブルが用いられる。同相多条布設ケーブルは、同相多条布設ケーブルに含まれる複数条のケーブルの配置によって、同相に流れる電流に不平衡が生じる場合がある。電流に不平衡が生じると、一部のケーブルに生じる熱がケーブルの耐熱温度を超えるおそれがある。
【０００３】
日本電線工業会は、同相多条布設ケーブルのインピーダンスの計算式を開示している（非特許文献１参照）。同相多条布設ケーブルに含まれる複数の同相のケーブルを、インピーダンスが等しくなるように配置することにより、理論的に同相内の電流の不平衡をなくすことができる。
【０００４】
そして、非特許文献１には、三相６線式、三相９線式、及び三相１２線式の同相多条布設ケーブルの配置例が記載されている。
【先行技術文献】
【非特許文献】
【０００５】
【非特許文献１】電線工業会規格  ＪＣＳ  ０１６８−１：２０１６、ｐ．２７−２９
【発明の概要】
【発明が解決しようとする課題】
【０００６】
非特許文献１に記載された三相６線式及び三相１２線式の同相多条布設ケーブルの配置例は、ケーブルが水平方向、又は水平方向と鉛直方向に並んだ簡素な配置であり、かつ理論的な同相内の電流の不平衡がない。
【０００７】
一方、非特許文献１に記載された三相９線式の同相多条布設ケーブルの配置例は、ケーブルが水平方向と鉛直方向に並んだ簡素な配置であって、若干の不平衡が存在する。このため、ケーブルの許容電流の余裕が少ない場合、過熱によりケーブルの絶縁体やシースの溶融等が起こるおそれがある。
【０００８】
このように、ケーブルが水平方向と鉛直方向に並んだ配置では、同相内の電流の不平衡をなくすことができない。このため、三相９線式の同相多条布設ケーブルについての同相内の電流の不平衡が生じないような配置が従来知られていなかったものと考えられる。
【０００９】
本発明の目的は、理論的な同相内の電流不平衡がない、比較的簡素な三相９線式の同相多条布設ケーブルの布設方法を提供することにある。
【課題を解決するための手段】
【００１０】
本発明の一態様は、上記目的を達成するために、下記［１］〜［５］の同相多条布設ケーブルの布設方法を提供する。
【００１１】
［１］Ｕ相電流が流れる３本のＵ相ケーブル、Ｖ相電流が流れる３本のＶ相ケーブル、及びＷ相電流が流れる３本のＷ相ケーブルを含む、三相９線式の同相多条布設ケーブルの布設方法であって、前記３本のＵ相ケーブルのインピーダンスの理論値が等しく、前記３本のＶ相ケーブルのインピーダンスの理論値が等しく、かつ前記３本のＷ相ケーブルのインピーダンスの理論値が等しくなるように、前記３本のＵ相ケーブル、前記３本のＶ相ケーブル、及び前記３本のＷ相ケーブルを配置する、同相多条布設ケーブルの布設方法。
【００１２】
［２］各々が１本の前記Ｕ相ケーブル、１本の前記Ｖ相ケーブル、及び１本の前記Ｗ相ケーブルから構成される第１のユニット、第２のユニット、及び第３のユニットを設定し、前記同相多条布設ケーブルの径方向の断面において、第１のユニットが、前記１本のＵ相ケーブル、前記１本のＶ相ケーブル、及び前記１本のＷ相ケーブルの中心を結ぶと正三角形が形成されるようなケーブル配置を有し、前記第２のユニットが、前記第１のユニットのケーブル配置を反時計回りに１２０°回転させたケーブル配置を有し、前記第３のユニットが、前記第１のユニットのケーブル配置を反時計回りに２４０°回転させたケーブル配置を有し、前記３本のＵ相ケーブルの中心を結ぶと正三角形が形成され、前記３本のＶ相ケーブルの中心を結ぶと正三角形が形成され、前記３本のＷ相ケーブルの中心を結ぶと正三角形が形成されるように、前記３本のＵ相ケーブル、前記３本のＶ相ケーブル、及び前記３本のＷ相ケーブルを配置する、上記［１］に記載の同相多条布設ケーブルの布設方法。
【００１３】
［３］前記３本のＵ相ケーブル、前記３本のＶ相ケーブル、及び前記３本のＷ相ケーブルが、第１層が４本、第２層が中央を除く２本、第３層が２本、第４層が１本の俵積みにより配置された、上記［２］に記載の同相多条布設ケーブルの布設方法。
【００１４】
［４］前記俵積みの前記第２層の中央にダミーケーブル又は線状のスペーサーが配置された、上記［３］に記載の同相多条布設ケーブルの布設方法。
【００１５】
［５］前記第１のユニット、前記第２のユニット、及び前記第３のユニットの各々において、前記１本のＵ相ケーブル、前記１本のＶ相ケーブル、及び前記１本のＷ相ケーブルが、第１層が２本、第２層が１本の俵積みにより配置され、前記第１のユニットと前記第２のユニットの上に、板状のスペーサーを介して前記第３のユニットが配置された、上記［２］に記載の同相多条布設ケーブルの布設方法。
【発明の効果】
【００１６】
本発明によれば、理論的な同相内の電流不平衡がない、比較的簡素な三相９線式の同相多条布設ケーブルの布設方法を提供することができる。
【図面の簡単な説明】
【００１７】
【図１】図１は、本発明の第１の実施の形態に係る同相多条布設ケーブルの径方向の断面図である。
【図２】図２（ａ）、（ｂ）は、Ｕ相ケーブルの構成例を示す径方向の断面図である。
【図３】図３は、比較例に係る同相多条布設ケーブルの径方向の断面図である。
【図４】図４は、本発明の第２の実施の形態に係る同相多条布設ケーブルの径方向の断面図である。
【図５】図５は、本発明の第３の実施の形態に係る同相多条布設ケーブルの径方向の断面図である。
【発明を実施するための形態】
【００１８】
〔第１の実施の形態〕
（同相多条布設ケーブルの構成）
図１は、本発明の第１の実施の形態に係る同相多条布設ケーブル１の径方向の断面図である。同相多条布設ケーブル１は、Ｕ相電流が流れる３本のＵ相ケーブルｕ１、ｕ２、ｕ３、Ｖ相電流が流れる３本のＶ相ケーブルｖ１、ｖ２、ｖ３、及びＷ相電流が流れる３本のＷ相ケーブルｗ１、ｗ２、ｗ３を含む、三相９線式の同相多条布設ケーブルである。
【００１９】
Ｕ相ケーブルｕ１、ｕ２、ｕ３に流れるＵ層電流と、Ｖ相ケーブルｖ１、ｖ２、ｖ３に流れるＶ相電流と、Ｗ相ケーブルｗ１、ｗ２、ｗ３に流れるＷ相電流は、位相が異なる。例えば、Ｕ相電流を基準とすると、Ｖ相電流は１２０°、Ｗ相は２４０°だけ位相がずれている。
【００２０】
Ｕ相ケーブルｕ１、ｕ２、ｕ３、Ｖ相ケーブルｖ１、ｖ２、ｖ３、及びＷ相ケーブルｗ１、ｗ２、ｗ３は、図１に示されるように、第１層が４本、第２層が中央を除く２本、第３層が２本、第４層が１本の俵積みにより配置される。
【００２１】
俵積みの第１層には、図１の左側からＵ相ケーブルｕ１、Ｖ相ケーブルｖ１、Ｗ相ケーブルｗ２、Ｕ相ケーブルｕ２が配置され、第２層には、左側にＷ相ケーブルｗ１、右側にＶ相ケーブルｖ２が配置され、第３層には、左側にＶ相ケーブルｖ３、右側にＷ相ケーブルｗ３が配置され、第４層にはＵ相ケーブルｕ３が配置される。
【００２２】
Ｕ相ケーブルｕ１、ｕ２、ｕ３、Ｖ相ケーブルｖ１、ｖ２、ｖ３、及びＷ相ケーブルｗ１、ｗ２、ｗ３のインピーダンスの理論値が等しく、同相内（Ｕ相内、Ｖ相内、及びＷ相内）で電流が平衡する。このため、電流の不平衡に伴う許容電流の低減を考慮する必要がない。
【００２３】
また、電線工業会規格ＪＣＳ  ０１６８−１：２０１６の第５項「同相多条布設」に記載された三相９線式の同相多条布設ケーブルの配置の推奨例と比較して、同相多条布設ケーブル１は周囲が他のケーブルに囲まれたケーブルを含まないため、放熱性に優れる。
【００２４】
図２（ａ）、（ｂ）は、Ｕ相ケーブルｕ１の構成例を示すＵ相ケーブルｕ１の径方向の断面図である。なお、Ｕ相ケーブルｕ２、ｕ３、Ｖ相ケーブルｖ１、ｖ２、ｖ３、及びＷ相ケーブルｗ１、ｗ２、ｗ３をＵ相ケーブルｕ１と同じ構成にすることができる。
【００２５】
図２（ａ）は、Ｕ相ケーブルｕ１が導体２１とそれを被覆する絶縁体２２を有する絶縁電線である場合の例を示している。また、図２（ｂ）は、Ｕ相ケーブルｕ１が導体２１、絶縁体２２と、それらを被覆するシース２３を有するケーブルである場合の例を示している。
【００２６】
導体２１は、銅等の導体からなる。複数の導線を撚って形成する撚線を導体２１として用いてもよい。絶縁体２２は、発泡ポリエチレン等の絶縁体からなる。シース２３は、ポリエチレン等の絶縁体からなる。
【００２７】
なお、Ｕ相ケーブルｕ１、ｕ２、ｕ３、Ｖ相ケーブルｖ１、ｖ２、ｖ３、及びＷ相ケーブルｗ１、ｗ２、ｗ３は、図２（ａ）、（ｂ）に示される構成を有するものに限られず、例えば、多心ケーブルであってもよい。多心ケーブルを用いる場合、多心ケーブルに含まれる全線心を結線して１相とする。
【００２８】
（電流不平衡計算）
以下に、電流の不平衡を求めるための、Ｕ相ケーブルｕ１、ｕ２、及びＶ相ケーブルｖ１のインピーダンスを求める計算式を記載する。なお、以下のインピーダンスＺ、リアクタンスＸの計算式において、ｕ、ｖ、ｗをサイクリックに変えることにより、Ｕ相ケーブルｕ３、Ｖ相ケーブルｖ２、ｖ３、及びＷ相ケーブルｗ１、ｗ２、ｗ３についての計算式も得られるため、これらの計算式については記載を省略する。
【００２９】
次の式１、式２、式３は、それぞれＵ相ケーブルｕ１のインピーダンスＺｕ１（Ω／ｃｍ）、Ｕ相ケーブルｕ２のインピーダンスＺｕ２（Ω／ｃｍ）、Ｖ相ケーブルｖ１のインピーダンスＺｖ１（Ω／ｃｍ）の計算式である。
【００３０】
【数１】
2018023245.tif 000003
【００３１】
【数２】
2018023245.tif 000004
【００３２】
【数３】
2018023245.tif 000005
【００３３】
式１、式２、式３のＸｕ１、Ｘｕ２、Ｘｖ１は、それぞれＵ相ケーブルｕ１、Ｕ相ケーブルｕ２、Ｖ相ケーブルｖ１のリアクタンス（Ω／ｃｍ）であり、相互インダクタンスに依存する。すなわち、Ｚｕ１、Ｚｕ２、Ｚｖ１は、他の全てのケーブルとの距離に依存する。式１、式２、式３のＲは、Ｕ相ケーブルｕ１、Ｕ相ケーブルｕ２、Ｖ相ケーブルｖ１の抵抗（Ω／ｃｍ）である。
【００３４】
次の式４、式５、式６は、それぞれ、電線工業会規格ＪＣＳ  ０１６８−１：２０１６の第５項「同相多条布設」に記載された計算式に基づいた、Ｕ相ケーブルｕ１のリアクタンスＸｕ１（Ω／ｃｍ）、Ｕ相ケーブルｕ２のリアクタンスＸｕ２（Ω／ｃｍ）、Ｖ相ケーブルｖ１のリアクタンスＸｖ１（Ω／ｃｍ）の計算式である。
【００３５】
【数４】
2018023245.tif 000006
【００３６】
【数５】
2018023245.tif 000007
【００３７】
【数６】
2018023245.tif 000008
【００３８】
式１、式２、式３のＳｍｎは、ケーブルｍ（ｍ＝ｕ１、ｕ２、ｕ３、ｖ１、ｖ２、ｖ３、ｗ１、ｗ２、ｗ３）とケーブルｎ（ｎ＝ｕ１、ｕ２、ｕ３、ｖ１、ｖ２、ｖ３、ｗ１、ｗ２、ｗ３）の中心間隔（ｍｍ）である。Ｘ０は、ケーブルの自己インダクタンス分であり、充実導体の場合は１／２である。また、ｆは電流の周波数（Ｈｚ）であり、ｄは導体の外径（ｍｍ）である。
【００３９】
式１〜６、及びこれらの式のｕ、ｖ、ｗをサイクリックに変えた式を用いた計算を行うと、同相多条布設ケーブル１のＵ相ケーブルｕ１、ｕ２、ｕ３、Ｖ相ケーブルｖ１、ｖ２、ｖ３、及びＷ相ケーブルｗ１、ｗ２、ｗ３のインピーダンスが等しい、すなわち同相内の電流の不平衡がないという結果が得られる。
【００４０】
これは、同相多条布設ケーブル１のＵ相ケーブルｕ１、ｕ２、ｕ３、Ｖ相ケーブルｖ１、ｖ２、ｖ３、及びＷ相ケーブルｗ１、ｗ２、ｗ３が次に示すような条件（以下、電流平衡配置条件と呼ぶ）を満たすように配置されていることによる。
【００４１】
まず、同相多条布設ケーブル１の９本のケーブルをＵ相ケーブルｕ１、Ｖ相ケーブルｖ１、Ｗ相ケーブルｗ１から構成される第１のユニット１１と、Ｕ相ケーブルｕ２、Ｖ相ケーブルｖ２、Ｗ相ケーブルｗ２から構成される第２のユニット１２と、Ｕ相ケーブルｕ３、Ｖ相ケーブルｖ３、Ｗ相ケーブルｗ３から構成される第３のユニット１３に分けて考える。
【００４２】
そして、同相多条布設ケーブル１の径方向の断面において、第１のユニット１１が、１本のＵ相ケーブル、１本のＶ相ケーブル、及び１本のＷ相ケーブルの中心を結ぶと正三角形が形成されるようなケーブル配置を有し、第２のユニット１２が、第１のユニット１１のケーブル配置を反時計回りに１２０°回転させたケーブル配置を有し、第３のユニット１３が、前記第１のユニットのケーブル配置を反時計回りに２４０°回転させたケーブル配置を有し、３本のＵ相ケーブルｕ１、ｕ２、ｕ３の中心を結ぶと正三角形が形成され、３本のＶ相ケーブルｖ１、ｖ２、ｖ３の中心を結ぶと正三角形が形成され、３本のＷ相ケーブルｗ１、ｗ２、ｗ３の中心を結ぶと正三角形が形成される。
【００４３】
（計算結果の具体例）
以下に、同相多条布設ケーブル１についての計算結果の具体例を示す。次の表１は、計算に用いたＵ相ケーブルｕ１、ｕ２、ｕ３、Ｖ相ケーブルｖ１、ｖ２、ｖ３、及びＷ相ケーブルｗ１、ｗ２、ｗ３の共通の条件を示す。なお、各ケーブルは単芯のケーブルとした。
【００４４】
【表１】
2018023245.tif 000009
【００４５】
次の表２は、各ケーブルの座標と、算出された同相電流の分流比率及び均等分流からの不平衡率を示す。ここで、線心座標ｘ、ｙは、それぞれ同相多条布設ケーブル１の径方向の断面における水平方向（図１の左右方向）のケーブルの中心座標、鉛直方向（図１の上下方向）のケーブルの中心の座標を示す。
【００４６】
【表２】
2018023245.tif 000010
【００４７】
表２に示されるように、同相多条布設ケーブル１において同相電流は均等に流れ、そのため、均等分流からの不平衡率が０．００％になる。
【００４８】
次に、比較例として、電線工業会規格ＪＣＳ  ０１６８−１：２０１６の第５項「同相多条布設」に記載された三相９線式の同相多条布設ケーブルの配置についての計算結果の具体例を示す。
【００４９】
図３は、比較例に係る同相多条布設ケーブル５の径方向の断面図である。同相多条布設ケーブル５においては、Ｕ相ケーブルｕ１、ｕ２、ｕ３、Ｖ相ケーブルｖ１、ｖ２、ｖ３、及びＷ相ケーブルｗ１、ｗ２、ｗ３が水平方向、鉛直方向に並んで３×３で配置される。
【００５０】
ここで、計算に用いた比較例のＵ相ケーブルｕ１、ｕ２、ｕ３、Ｖ相ケーブルｖ１、ｖ２、ｖ３、及びＷ相ケーブルｗ１、ｗ２、ｗ３の共通の条件は表１に示されるものとした。
【００５１】
次の表３に、各ケーブルの座標と、算出された同相電流の分流比率及び均等分流からの不平衡率を示す。
【００５２】
【表３】
2018023245.tif 000011
【００５３】
表３に示されるように、同相多条布設ケーブル５においては、同相内の電流に不平衡がある。このため、ケーブルの過熱を防ぐため、電流の不平衡に伴う許容電流の低減を考慮してケーブルを選ばなければならない。
【００５４】
〔第２の実施の形態〕
本発明の第２の実施の形態は、俵積みされた同相多条布設ケーブルの内部の空間にダミーケーブル等が配置される点において、第１の実施の形態と異なる。なお、第１の実施の形態と同様の点については、説明を省略又は簡略化する。
【００５５】
（同相多条布設ケーブルの構成）
図４は、本発明の第２の実施の形態に係る同相多条布設ケーブル２の径方向の断面図である。同相多条布設ケーブル２のＵ相ケーブルｕ１、ｕ２、ｕ３、Ｖ相ケーブルｖ１、ｖ２、ｖ３、及びＷ相ケーブルｗ１、ｗ２、ｗ３は、第１の実施の形態に係る同相多条布設ケーブル１と同様の俵積みによる配置を有する。
【００５６】
一方で、同相多条布設ケーブル２の俵積みの第２層の中央の空間には、電流を流さないダミーケーブル３１が配置されている。ダミーケーブル３１を用いることにより、同相多条布設ケーブル２を安定して設置することができる。
【００５７】
また、ダミーケーブル３１の代わりに、パイプ等の線状のスペーサーを用いてもよい。スペーサーの材料としては、ケーブルを流れる電流により生じる磁束を変化させない非磁性体（例えば、ポリ塩化ビニル）が好ましい。
【００５８】
同相多条布設ケーブル２も、第１の実施の形態に係る同相多条布設ケーブル１と同様に、上記の「電流平衡配置条件」を満たすため、同相内の電流の不平衡がない。
【００５９】
〔第３の実施の形態〕
本発明の第３の実施の形態は、同相多条布設ケーブルの第１のユニット、第２のユニット、及び第３のユニットが等間隔で離されている点において、第１の実施の形態と異なる。なお、第１の実施の形態と同様の点については、説明を省略又は簡略化する。
【００６０】
（同相多条布設ケーブルの構成）
図５は、本発明の第３の実施の形態に係る同相多条布設ケーブル３の径方向の断面図である。同相多条布設ケーブル３においては、第１のユニット１１、第２のユニット１２、及び第３のユニット１３の各々において、１本のＵ相ケーブル、１本のＶ相ケーブル、及び１本のＷ相ケーブルが、第１層が２本、第２層が１本の俵積みにより配置される。
【００６１】
第１のユニット１１の俵積みの第１層には、図５の左側にＵ相ケーブルｕ１、右側にＶ相ケーブルｖ１が配置され、第２層には、Ｗ相ケーブルｗ１が配置される。
【００６２】
第２のユニット１２の俵積みの第１層には、図５の左側にＷ相ケーブルｗ２、右側にＵ相ケーブルｕ２が配置され、第２層には、Ｖ相ケーブルｖ２が配置される。
【００６３】
第３のユニット１３の俵積みの第１層には、図５の左側にＶ相ケーブルｖ３、右側にＷ相ケーブルｗ３が配置され、第２層には、Ｕ相ケーブルｕ３が配置される。
【００６４】
同相多条布設ケーブル３においては、第１のユニット１１と第２のユニット１２の上に、板状のスペーサー３２を介して第３のユニット１３を配置することができる。スペーサー３２の材料としては、ケーブルを流れる電流により生じる磁束を変化させない非磁性体が好ましい。
【００６５】
同相多条布設ケーブル３も、第１の実施の形態に係る同相多条布設ケーブル１と同様に、上記の「電流平衡配置条件」を満たすため、同相内の電流の不平衡がない。
【００６６】
また、同相多条布設ケーブル３においては、同相多条布設ケーブル１よりも各ケーブルが接触する他のケーブルの本数が少ないため、より放熱性に優れる。
【００６７】
（計算結果の具体例）
以下に、同相多条布設ケーブル３についての計算結果の具体例を示す。ここで、計算に用いたＵ相ケーブルｕ１、ｕ２、ｕ３、Ｖ相ケーブルｖ１、ｖ２、ｖ３、及びＷ相ケーブルｗ１、ｗ２、ｗ３の共通の条件は表１に示されるものとした。
【００６８】
【表４】
2018023245.tif 000012
【００６９】
表４に示されるように、同相多条布設ケーブル３において同相電流は均等に流れ、そのため、均等分流からの不平衡率が０．００％になる。
【００７０】
（実施の形態の効果）
上記第１〜３の実施の形態に係る同相多条布設ケーブルの布設方法よれば、三相９線式の同相多条布設ケーブルを同相内の電流の不平衡が生じないように布設することができる。このため、大電流を必要とする設備（例えば、メガソーラーと呼ばれる大規模な太陽光発電所）に適用される場合であっても、一部のケーブル過熱による絶縁体やシースの溶融等の問題を防ぐことができる。
【００７１】
また、電流に不平衡がある場合、過熱による事故を防ぐために最も大きな電流がながれるケーブルを基準として許容電流等の設計を行う必要があるが、上記第１〜３の実施の形態に係る同相多条布設ケーブルの布設方法ではその必要がないため、同相多条布設ケーブルのコストを低減することができる。
【００７２】
また、実施の形態に係る同相多条布設ケーブルの配置は比較的簡素であるため、ケーブルの布設が容易である。
【００７３】
以上、本発明の実施の形態を説明したが、本発明は、上記実施の形態に限定されず、発明の主旨を逸脱しない範囲内において種々変形実施が可能である。
【００７４】
例えば、同相多条布設ケーブルのケーブル配置は、上記の「電流平衡配置条件」を満たす配置であれば、上記実施の形態に示したものに限られない。また、上記実施の形態における「正三角形」や「１２０°」、「２４０°」等のケーブルの位置の説明に用いられる言葉は、ケーブルの製造誤差や設置誤差等の意図しない誤差に起因するずれや、電流の不平衝が実質的にゼロであると認められる範囲のずれを含んだものを意味する。
【００７５】
また、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００７６】
１、２、３         同相多条布設ケーブル
１１               第１のユニット
１２               第２のユニット
１３               第３のユニット
３１               ダミーケーブル
３２               スペーサー
ｕ１、ｕ２、ｕ３   Ｕ相ケーブル
ｖ１、ｖ２、ｖ３   Ｖ相ケーブル
ｗ１、ｗ２、ｗ３   Ｗ相ケーブル
【図１】
2018023245.tif 000013
【図２】
2018023245.tif 000014
【図３】
2018023245.tif 000015
【図４】
2018023245.tif 000016
【図５】
2018023245.tif 000017